(57)【要約】  ２次元媒体（１０）上でアナモルフォシスの原理に従って変形されるパノラマ画像（１）の表現に好適である、３次元物体上の３６０°パノラマ画像の取得、後生成及び再生のためのアナモルフィックシステムであって、前記画像（１）は、２次元媒体（１０）に対して中央に位置決めされた３次元媒体（２０）の外面（２）上で反射されように適合され、前記システムは、（Ａ）取得であって、３６０°写真ショットは、再生される物体の周囲で撮影され、前記写真ショットは、再生される物体から等距離であり、且つ焦点、好ましくは３５ｍｍを提供され、前記写真ショットは、画像の３０％〜４０％に含まれる相互重ね合わせも提供され、且つ好ましくはＨＤＲモードにおいて捕捉され、前記取得（Ａ）工程は、日光又は人工的夜間照明によって照らされる再生される物体の全体の写真ショットを取得するために、日中に又は複数の日にわたって数回発生する、取得、（Ｂ）後生成であって、前記写真ショットは、変形された画像（１）を生成するために編集される、後生成、（Ｃ）２次元媒体（１０）上の画像（１）の再生であって、前記画像（１）は、中央孔（１１）を提供される、再生、（Ｄ）３次元媒体（２０）を前記中央孔（１１）に位置決めすることからなる、アナモルフィックシステム。
2020522915.tif 000002
【特許請求の範囲】
【請求項１】
実際のビューを模擬する円筒状又は円錐状反射面上に２次元媒体によって連続的に表示される３６０°パノラマ画像を取得する方法において、任意の２次元媒体（１０）上でアナモルフォシスの原理に従って変形されるパノラマ画像（１）の表現に好適であり、前記画像（１）は、前記２次元媒体（１０）に対して中央に位置決めされるのに好適な対応する３次元媒体（２０）の外面（２）上に反射されるのに好適であり、システムは、以下のその後の工程：
（Ａ）取得であって、ユーザは、再生される物体の周囲の３６０°軌道をカバーする複数の写真ショットを撮影し、前記写真ショットは、前記再生される物体から同じ距離を提供され、且つ焦点、好ましくは３５ｍｍを提供され、前記写真ショットは、前記画像の２０％〜５０％、好ましくは３０％〜４０％に含まれる相互重ね合わせも提供され、且つ任意の高精細モードを使用して、好ましくはＨＤＲモードにおいて捕捉され、前記取得工程（Ａ）は、日光又は人工的夜間照明によって照らされる前記再生される物体の全体の、レンズの同じ角度及び同じ開口で同じ視点から撮影される写真ショットを取得するために、日中に又は複数の日にわたって数回発生し、前記取得工程（Ａ）は、自動調整デジタルタイプ及び好ましくは手動調整アナログタイプの両方の任意の画像捕捉装置を使用して実行される、取得、
（Ｂ）後生成であって、前記写真ショットは、デジタル的に編集され、前記後生成工程（Ｂ）は、前記アナモルフォシスの原理に従って変形される前記画像（１）を生成するのに好適である、後生成：
（Ｂ１）補正であって、以前に取得された写真ショットのいかなる焦点収差も補正される、補正、
（Ｂ２）組み立てであって、前記以前に取得され且つ補正された写真ショットは、共通のモンタージュ写真内に互いに隣接して配置される、組み立て、
（Ｂ３）線形パノラマであって、前記以前に生成されたモンタージュ写真から、４．５〜２．５に含まれる、好ましくは３．８８の高さ／長さ比を提供される矩形パノラマ画像が生成される、線形パノラマ、
（Ｂ４）切断であって、前記矩形パノラマ画像から、上縁及び下縁は、前記縁を直線にするために切断され、前記上縁の前記切断は、前記矩形パノラマ画像の上側境界から、１ｃｍ〜８ｃｍに含まれる、好ましくは４ｃｍの距離で実行され、前記下縁の前記切断は、前記矩形パノラマ画像の下側境界から、０．２ｃｍ〜５ｃｍに含まれる、好ましくは２ｃｍの距離で実行される、切断、
（Ｂ５）保存であって、前記以前の切断工程（Ｂ４）から取得された前記画像は、１００×８０〜４０×２０に含まれる、好ましくは７０×４０の寸法を設定することによってデジタル形式で保存される、保存、
（Ｂ６）延伸であって、前記以前の保存工程（Ｂ５）から取得された前記画像は、１００×１００〜２０×２０に含まれる、好ましくは７０×７０の寸法を設定することによって高さ的に変形される、延伸、
（Ｂ７）回転であって、前記以前の延伸工程（Ｂ６）から取得された前記変形された画像は、１８０°だけ回転されるか又は反転される、回転、
（Ｂ８）変換であって、前記画像（１）は、前記以前の回転工程（Ｂ７）から取得された前記変形され且つ反転された画像の座標の設定を直交座標から極座標に修正し、したがって外径（Ｒ）及び内径（ｒ）を提供された前記円形王冠状画像（１）を生成することによって取得される、変換、
（Ｃ）前記以前の後生成工程（Ｂ）から取得された前記画像（１）を好ましくは円形状２次元媒体（１０）上に再生することであって、前記画像（１）は、正しいパノラマ画像を返すために正しい視点を提供するのに好適な観察地点に対応する中央孔（１１）を提供される、再生すること、
（Ｄ）前記２次元媒体（１０）に関連する３次元媒体（２０）を前記画像（１）の前記中央孔（１１）に位置決めすることであって、前記３次元媒体（２０）は、円筒状又はほぼ円筒状の形状を提供され、且つミラーリング外面（２）も提供され、前記外面（２）は、前記２次元媒体（１０）上に表される前記画像（１）を再生するのに好適であり、したがってその正しい表示を可能にする、位置決めすること
によって構成される対応する方法を利用することを特徴とする方法。
【請求項２】
前記写真ショットを取得するための前記工程（Ａ）は、固定された観察地点から実行され、及び前記写真ショットは、視点を所定数の角度だけ回転することによって撮影されることを特徴とする、請求項１に記載の、実際のビューを模擬する円筒状又は円錐状反射面上に２次元媒体によって連続的に表示される３６０°パノラマ画像を取得する方法。
【請求項３】
前記取得工程（Ａ）において、前記写真ショットは、４０〜６０に含まれる数の写真ショットにより、再生される物体像又は環境の６％〜９％をカバーすることを可能にするように取得されることを特徴とする、請求項１又は２に記載の、実際のビューを模擬する円筒状又は円錐状反射面上に２次元媒体によって連続的に表示される３６０°パノラマ画像を取得する方法。
【請求項４】
焦点収差を補正するための前記工程（Ｂ１）は、一般的な専用ソフトウェア、好ましくは「Camera Raw」と呼ばれるソフトウェアを使用して実行されることを特徴とする、請求項１〜３のいずれか一項に記載の、実際のビューを模擬する円筒状又は円錐状反射面上に２次元媒体によって連続的に表示される３６０°パノラマ画像を取得する方法。
【請求項５】
前記組み立て（Ｂ２）、線形パノラマ（Ｂ３）、切断（Ｂ４）、保存（Ｂ５）、延伸（Ｂ６）、回転（Ｂ７）及び変換（Ｂ８）工程は、一般的な専用ソフトウェア、好ましくは「Photoshop」と呼ばれるソフトウェアを使用して実行されることを特徴とする、請求項１〜４のいずれか一項に記載の、実際のビューを模擬する円筒状又は円錐状反射面上に２次元媒体によって連続的に表示される３６０°パノラマ画像を取得する方法。
【請求項６】
前記画像（１）は、前記外径（Ｒ）と前記内径（ｒ）との間の差によって与えられる高さ（Ｒ−ｒ）を提供され、前記高さ（Ｒ−ｒ）は、前記３次元媒体（２０）の前記外面（２）の高さの１／３に等しい値と、前記３次元媒体（２０）の前記外面（２）の前記高さの２倍に等しい値との間に含まれ、前記画像（１）の前記高さ（Ｒ−ｒ）は、好ましくは、前記３次元媒体（２０）の前記外面（２）の前記高さに等しいことを特徴とする、請求項１〜５のいずれか一項に記載の、実際のビューを模擬する円筒状又は円錐状反射面上に２次元媒体によって連続的に表示される３６０°パノラマ画像を取得する方法。
【請求項７】
前記２次元媒体（１０）は、一般的な受け皿によって構成され、及び前記３次元媒体（２０）は、一般的な小さいコーヒーカップによって構成されることを特徴とする、請求項１〜６のいずれか一項に記載の、実際のビューを模擬する円筒状又は円錐状反射面上に２次元媒体によって連続的に表示される３６０°パノラマ画像を取得する方法。
【請求項８】
前記２次元媒体（１０）は、一般的な飲料コースタによって構成され、及び前記３次元媒体（２０）は、一般的な飲料グラス、マグ、１パイント容器などによって構成されることを特徴とする、請求項１〜５のいずれか一項に記載の、実際のビューを模擬する円筒状又は円錐状反射面上に２次元媒体によって連続的に表示される３６０°パノラマ画像を取得する方法。
【請求項９】
前記２次元媒体（１０）は、本状の方式で可逆的に開くのに好適な紙材で作られた一般的なシートによって構成され、及び前記３次元媒体（２０）は、前記２次元媒体（１０）の開口において可逆的に上昇するのに好適な紙材で作られた一般的な円筒によって構成され、全体は、一般的な「ポップアップ」カードを形成することを特徴とする、請求項１〜５のいずれか一項に記載の、実際のビューを模擬する円筒状又は円錐状反射面上に２次元媒体によって連続的に表示される３６０°パノラマ画像を取得する方法。
【請求項１０】
前記２次元媒体（１０）は、一般的な瓶を可逆的に包むのに好適な一般的な紙要素によって構成され、前記瓶は、前記３次元媒体（２０）を構成し、前記２次元媒体（１０）は、支持体表面上で開かれるのに好適であり、前記画像（１）を暴露し、且つ前記３次元媒体（２０）の前記ミラーリング外面（２）を暴露することを特徴とする、請求項１〜５のいずれか一項に記載の、実際のビューを模擬する円筒状又は円錐状反射面上に２次元媒体によって連続的に表示される３６０°パノラマ画像を取得する方法。
【請求項１１】
前記３次元媒体（２０）は、例えば、カウンタ、受け付け、机などの一般的な調度要素によって構成され、及び前記２次元媒体（１０）は、前記３次元媒体（１０）を取り囲む一般的な床又は一般的なマットによって構成されることを特徴とする、請求項１〜５のいずれか一項に記載の、実際のビューを模擬する円筒状又は円錐状反射面上に２次元媒体によって連続的に表示される３６０°パノラマ画像を取得する方法。
【発明の詳細な説明】
【技術分野】
【０００１】
説明
技術分野
本発明は、グラフィックス及び設計並びに写真の分野において、特に３６０°パノラマ画像を生成するための写真処理の後生成の段階で役立つものである。
【０００２】
より詳細には、本発明は、３次元物体を観察者にとって特に目を見張るような装飾物体にする、３次元物体上の３６０°パノラマ画像の再生に関する。
【背景技術】
【０００３】
先行技術
「アナモルフォシス」は、ギリシア語に由来する単語であり、「再生形式」を意味する。これは、歪んだ方法で画像が表面上に投影される光学的錯覚効果であり、精確な位置から画像を見ることのみによって元の対象物を認識可能にする。
【０００４】
元の対象物は、平坦状物体又は３次元物体であり得る。本発明は、後者の表現タイプに言及する。観察者は、曲面鏡を介して、２次元媒体上に表される物体を３次元物体として知覚する。
【０００５】
多数の典型的ルネッサンスフレスコ及び絵画に加えて、アナモルフォシスは、今日、多くの異なる分野で広く用いられている。映写技術において、アナモルフォシスは、フィルムのものと異なる基線／高さ比を有する画面形式を撮影するために使用される。特別なアナモフィックレンズは、映画撮影時の画像を横方向に圧縮し、投影中にそれを再拡張する。
【０００６】
アナモルフィックな効果の実使用は、その特徴が一定の距離から見たときに正常且つ判読可能に見えるような方法で変形及び伸長される道路面上の指標を書くことを実行する際に実施されるものである。アナモルフォシスの他の例は、ＴＶ上で送信される様々なスポーツイベントの運動場上で設計される広告文である。実際、この広告文は、それらを撮影するカメラの視点から直線に見えるように変形される。
【０００７】
アナモルフィック表現は、とりわけ、様々なアーティストがこの画像タイプを生成することに専念する近年では多数の国際特許の主題でもあり、一層精密且つ詳細な光学的錯覚を提供することを目的とする。その一例は、最近出願された米国特許第９３６７９５１号であり、これは、特定の範囲の視角から観察される場合、３次元であるように観察者によって知覚される画像が表される２次元画面によって構成される装飾要素を説明している。
【０００８】
アナモルフィック表現は、それらに対する深い研究がなされたにもかかわらず、不完全性を依然として有する。特に、写真画像のアナモルフィック歪みは、３次元媒体上の画像の正しい再生を許容しない変形から始まって、シャドーによって表される問題まで様々な危機的問題を依然として有する。
【０００９】
アナモルフィック歪みの処理の難しさは、これまで、アナモルフィック鏡の応用のいずれも３６０°パノラマを満足に含まず、部分的なビューのみ又は単純な正面ビューのみを含むことを確実にした。
【発明の概要】
【発明が解決しようとする課題】
【００１０】
したがって、本発明の目的は、前記３６０°パノラマ画像が、円筒状又は円錐状形式を有するミラーリング３次元物体上に正しく投影されるような方法で２次元媒体上の画像を取得、後生成及び再生するための新規且つ革新的なシステムを提案することである。
【課題を解決するための手段】
【００１１】
発明の説明
本発明によると、例えば、記念碑又は広場に投影されるパノラマ画像をその外面上に担う３次元物体を生成することが可能であるシステムが実現される。
【００１２】
このようなシステムは、画像を取得及び後生成し、その後、２次元媒体上に最終画像を再生する方法からなる。具体的には、前記最終画像は、リング状形式を有し、したがって中央孔を提供される。この孔には、その外面がミラーリングする３次元物体又は媒体が有利に配置され得る。
【００１３】
有利には、前記３次元媒体の前記ミラーリング外面は、円筒状又はほぼ円筒状であり、２次元媒体上に再生されるリング状画像をミラーリングするように適切に構成され、正しい表示形式のパノラマ画像を戻す。
【００１４】
最適なグラフィック結果のため、有利には、リング状画像の高さは、３次元媒体の反射外面の高さの１／３〜２倍に含まれる。さらに有利には、リング状画像の高さ、したがってその外径とその内径との間の差は、３次元媒体のミラーリング外面の高さに等しくなる。
【００１５】
このようなシステムは、特定の物体、特に前記３次元媒体が円筒状又はほぼ円筒状である物体上及びリング状画像を前記３次元媒体に対して周辺的な方法で再生することが可能である物体上で特に有利である。
【００１６】
本発明のシステムによって参照される物体の例の中でも、以下が存在する：皿及び位置皿、トレー、磁石、家具、花瓶、傘ホルダー、テーブルセンタ、マット、調度装飾品又は様々な他の装飾品、朝食用カップ、関連受け皿付き小さいコーヒーカップ、対応するコースタ付きビールジョッキ、２次元媒体としての役割を果たすために支持体表面上で開かれる特殊紙要素を有する記念ガラス瓶。本システムにより、大型の美術的又は記念碑的設置は、例えば、最も賑やかな町広場内でも可能である。加えて、以下に詳細に説明されるシステムは、案内所、バーのカウンタ又はホテルの受け付けなどの中大型の調度物にも適用される有利な可能性を提供する。この場合、ミラーリング面は、カウンタ、机又は受け付けの垂直面であり、リング状画像は、前記３次元物体の直接隣の床上に示される。
【００１７】
アナモルフォシス技術の使用により、観察者に対する驚き効果が保証される。画像の変形は、３次元媒体上の再生が正しいことを保証し、実際、３次元媒体が置かれた視点と異なる任意の視点から観察される場合、２次元媒体上に表される画像をほぼ認識不能にする。
【００１８】
本発明によって提示される利点の完全なビューを提供するために、様々な工程が、ここで、前記２次元媒体上に表される最終画像の生成のための画像の取得及び後生成の方法に関して規定される。
【００１９】
第１に、画像の取得は、焦点、好ましくは３５ｍｍによって特徴付けられる複数の写真ショットによって実行されなければならない。
【００２０】
２つの異なる技術が、撮影される物体のタイプに基づいてこの工程で使用され得る。これが広場又はいずれにせよ空間である場合、カメラの位置が固定されて、それ自体を中心に回転する「パノラマ」方法が使用される。撮影される物体が記念碑、建物又は類似物体である場合、観察者が物体を中心に回転し、それとの固定距離を維持する「軌道」技術が使用される。
【００２１】
いずれにせよ、好ましくはＨＤＲモード、すなわち高精細モードで撮影された様々な写真は、２０％〜５０％、好ましくは３０％〜４０％に含まれる重ね合わせを有することが必要である。
【００２２】
有利には、ＨＤＲモードにより、各写真ショットは、その１つが光に対して露光不足であり、その１つが過露光であり、及びその１つが平均露出であるショットを重ね合わせることによって形成される最適露光によって特徴付けられる。
【００２３】
既知技術に対し、本発明の方法は、取得工程において、シャドーゾーンを撮影することを避けるために１日の様々な時間に実行される。同じ原理は、夜間又は薄暮写真に適用される。この段階では、写真ショットは、様々な時間的期間において、レンズの同じ角度及び開口によって同じ高さで同じ視点から撮影されることが必須である。
【００２４】
その後の工程は、後生成の工程であり、ここで、写真ショットは、最終リング状画像を実現するために編集される。正しい後生成のため、好適なソフトウェア、好ましくはCamera Rawなどの使用によって焦点収差を補正することが第１に必要である。その後、依然として電子モードで画像の組み立てを進め、４．５〜２．５に含まれる、好ましくは３．８８の長さ／高さ比を提供される線形パノラマが生成される。
【００２５】
この時点において、パノラマを線形にするために上縁及び下縁の切断を実行することが必要である。したがって、ファイルを保存し続け、１００×８０〜４０×２０に含まれる、好ましくは７０×４０のその寸法を設定する。後生成の最終工程として、アナモルフィック画像、したがって見ることを望むものに対して変形された画像を生成するために、保存されたばかりの画像の変形を実行し、これを、１００×１００〜２０×２０に含まれる、好ましくは７０×７０の寸法にし、このようにして得られた画像をその後１８０°だけ回転させ、最後にその座標を直交座標から極座標系に変換することが必要である。
【００２６】
上述の処理によって取得されるリング状画像は、有利には、対応する３次元媒体の観点から正しく表示されるように複数の２次元媒体上に再生されるように適合される。したがって、ミラーリング面により、３次元媒体の観察者は、記念碑又は広場が３次元媒体自体上に直接且つ正しく表されるという光学的錯覚も有する。
図面の説明
本発明は、添付図面を用いて、非限定的例としての少なくとも１つの実施形態において以下に説明される。
【図面の簡単な説明】
【００２７】
【図１】２次元媒体上の画像の取得、後生成及び再生のためのシステムのブロック図を示す。
【図２】画像の変形のアナモルフィック原理の図式化を示す。
【図３】本発明のシステムによって作製される物体及び装飾物のいくつかの可能な形式を示す。
【図４】画像の後生成のいくつかの工程を示す。
【発明を実施するための形態】
【００２８】
発明の詳細な説明
ここで、本発明は、本発明の概念に関係するいくつかの実施形態を示す添付図面を利用する単に非限定的又は非制約的例として示される。
【００２９】
図２を参照すると、本発明が基づく画像のアナモルフィック変形の原理が示されている。この技術は、何世紀にもわたって知られており、本システムが許容する複数のアプリケーションにより、観察者に対する特別な効果の装飾物体又は記念物体を生じ得る。これらの物体のいくつかは、図３．ａ、３．ｂ、３．ｃ、３．ｄに表されるが、決して限定するものではなく、以下に詳細に説明されるシステムが非常に小さい物体に適用されることを可能し、これにより調度、家具などの中型物体及び公共の場における記念碑的又は芸術的設置物を含む大型物体などの様々な形式の記念物が実現され得る。
【００３０】
画像の取得、後生成及び再生のためのシステムは、実際に、記念碑、したがって単一物体の表現又は様々なタイプの物体にわたる広場又は開放空間の表現を許容する。
【００３１】
このような物体は、少なくとも２つの要素：２次元媒体１０及び３次元媒体２０によって構成される。好ましくは円形形式を有する第１の要素の上に、変形された画像１がアナモルフィックな方法で表される。代わりに、３次元媒体２０は、円筒状又はほぼ円筒状形式を必然的に有し、鏡面仕上げによって処理された外面２を有する。このようにして、図２に表されるアナモルフォシスの原理が対象の物体に適用される。３次元媒体２０の外面２は、実際に、アナモルフィック変形をなくすように、且つ観察者にとって元の物体であるように見えるように、２次元媒体１０上に表された画像１を反射する。
【００３２】
図１を参照すると、本発明に従って任意の１つの物体を作るための処理がブロック図によって示されており、リング状画像１を取得するための取得及び後生成方法について詳細に説明する。
【００３３】
このような画像１は、２次元媒体１０上に再生されるために円形形式を有するため、「リング状画像」と呼ばれ、３次元媒体２０が変形画像１の正しい反射のために置かれる位置に対応する中央孔１１を提供される。
【００３４】
取得及び後生成の方法は、以下の連続工程からなる：
Ａ）取得：ユーザは、再生することを望む物体タイプに基づき、２つのモードで検索され得る複数の写真ショットを実行する。物体が記念碑などである場合、ショットは、「軌道」モード、したがって物体自体の周囲の３６０°の軌道をカバーするもので行われなければならない。この場合、前記写真ショットは、物体から等距離でなければならない。しかし、物体が開放空間又は広場である場合、前記写真ショットの取得Ａは、カメラが毎回所定数の角度だけ回転されている間、固定された観察地点から実行されなければならない。より詳細には、いずれの場合にも、ショットは、好ましくは、高解像度、好ましくは頭文字語「ＨＤＲ」によって知られたモードで撮影される焦点、好ましくは３５ｍｍを有しなければならず、画像の２０％〜５０％、好ましくは３０％〜４０％に含まれる相互重ね合わせを有しなければならない。加えて、前記取得工程Ａは、すべての写真ショットがシャドーゾーンを完全に欠くように日中に又は複数の日にわたって数回発生し得る。その後の後生成工程を行うことができるように、様々な時間的期間に捕捉される写真ショットは、レンズの同じ角度及び開口で且つ焦点パノラマの場合には同じ視点から撮影されなければならない一方、軌道パノラマの場合には対象物に対して同じ周辺ラインに沿って撮影されなければならない。再生される物体の最適表現のために、前記取得工程Ａでは、前記写真ショットは、４０〜６０に含まれる数のショットにより、再生される物体又は環境の６％〜９％がカバーされるように取得されなければならない。本発明はまた、カメラが３６０°で使用される場合又は取得を自動的且つ瞬間的な方法で実行する任意の他の画像捕捉装置が使用される場合に適用されることが明白である。したがって、スマートフォン又はタブレットなどの携帯電話又は同様の装置も使用され得る。
Ｂ）後生成：以前に取得された写真ショットは、アナモルフォシスの原理に従ってリング状変形画像１を生成するために、好適なソフトウェアを使用することによってデジタル的に編集される。次に、後生成工程は、以下の副工程に分割される：
Ｂ１）好ましくは、「Camera Raw」と呼ばれるソフトウェア又は同様のソフトウエアプログラムによって実行される、以前に取得された写真ショットの焦点収差の補正；
Ｂ２）好ましくは、「Photoshop」と呼ばれるソフトウェア又は同様のソフトウエアプログラムによって実行される、組み立て、すなわち互いに隣り合った正しい写真ショットのモンタージュ写真；
Ｂ３）好ましくは、「Photoshop」と呼ばれるソフトウェア又は同様のソフトウエアプログラムによって実行される、前述のモンタージュ写真によって生成される線形パノラマの発生；前記線形パノラマは、５〜２．５に含まれる、好ましくは３．８８の長さ／高さ比を提供される矩形画像である；
Ｂ４）切断副工程、ここで、矩形パノラマ画像から、上縁及び下縁は、前記直線的縁をレンダリングするために切断され、好ましくは、上縁の切断は、矩形パノラマ画像の上側境界から、１ｃｍ〜８ｃｍに含まれる、好ましくは４ｃｍの距離で実行される一方、下縁の切断は、０．２ｃｍ〜５ｃｍに含まれる、好ましくは２ｃｍの距離で実行される。また、切断Ｂ４は、好ましくは、「Photoshop」と呼ばれるソフトウェア又は同様のソフトウエアプログラムによって実行される；
Ｂ５）好ましくは、「Photoshop」と呼ばれるソフトウェア又は同様のソフトウエアプログラムによって実行される保存、ここで、先の切断工程Ｂ４から取得された画像は、１００×８０〜４０×２０に含まれる、好ましくは７０×４０の寸法を設定することによってデジタル形式で保存される；
Ｂ６）好ましくは、「Photoshop」と呼ばれるソフトウェア又は同様のソフトウエアプログラムによって実行される延伸、ここで、先の保存工程Ｂ５から取得された画像は、１００×１００〜２０×２０に含まれる、好ましくは７０×７０の寸法を設定することにより、必要なアナモルフィック変形を取得するために高さ的に変形される；
Ｂ７）回転、ここで、先の延伸工程Ｂ６から取得された変形画像は、１８０°だけ回転又は反転される；
Ｂ８）先の副工程Ｂ７のように「Photoshop」又は同様のソフトウエアプログラムを使用することによって取得される変換、後生成の最終工程、ここで、前記リング状画像１は、先の回転工程Ｂ７から取得された変形され且つ反転された画像の座標の設定を直交座標から極座標に修正することによって取得される。より詳細には、前記画像１は、その外径Ｒとその内径ｒとの間の差によって与えられる高さ（Ｒ−ｒ）を提供される。正しい表現のために、前記高さ（Ｒ−ｒ）は、３次元媒体２０の反射面２の高さの１／３〜２倍に含まれなければならない。好ましくは、前記リング状画像１の前記高さ（Ｒ−ｒ）は、反射面２の高さに等しくなる。
【００３５】
前記アナモルフィックに変形されたリング状画像１が取得されると、前記予め選択された２次元媒体１０上でその再生Ｃに進む。
【００３６】
前に述べたように、前記画像１の正しい表示のため、この段階は、リング状画像１の中央孔１１において前記３次元媒体２０の位置決めＤを実行することで十分であり、その結果、−  前記３次元媒体２０の外面２上に  −  以前に撮影された記念碑又は空間の正しい画像が再生される。
【００３７】
図３．ａ、３．ｂ、３．ｃ、３．ｄ１及び３．ｄ２を参照すると、本発明が適用される２次元媒体１０及び３次元媒体２０の複数の実施形態のいくつかのみが示されている。
【００３８】
図３（ａ）は、案内所又は一般的な受け付け若しくはバーカウンタ或いは同様の調度への本システムの適用を示す。調度自体は、３次元媒体２０を形成する一方、２次元媒体１０は、調度が当接する同じ床によって構成される。代わりに、リング状画像１は、カウンタを少なくとも部分的に取り囲むマット上に再生され得る。いずれの場合にも、２次元媒体１０の円形又は半円形形式が３次元媒体２０の円筒状又は半円筒状形式と一緒に維持されなければならないことが観測される。
【００３９】
図３（ｂ）は、２次元媒体１０がコーヒーカップ受け皿であり、３次元媒体２０が一般的な小さいコーヒーカップである実施形態を示す。同様の実施形態は、本発明がビールジョッキ又はその飲料コースタに適用される、図３（ｃ）に示されるものである。一般的に、飲料グラス、カップ、ワイングラス、１パイント容器などは、すべて本発明が容易に適用される物体である。上記物体の外面２を反射又はミラーリング材料によって仕上げ、上記物体に受け皿又はそれに関連する飲料コースタを備えることで十分である。
【００４０】
最後に、図３（ｄ１）及び３（ｄ２）は、３次元媒体２０としての役割を果たすように適合された一般的な瓶を含む別の実施形態を示し、したがって、外面２は、反射又はミラーリングする。この場合、２次元媒体１０として、瓶を典型的な贈り物又は記念品にする一般的な紙装飾要素が採用された。したがって、一見したところ、対象の物体への本発明の適用を露呈するいかなる部品も外面的に出現しない。紙要素が開かれると、その内面は、前記リング状画像１を担う。任意の１つの支持体表面上に紙要素を広げることにより、前記リング状画像１は、瓶の外面２によって反射され、本発明の適用を露呈する。
【００４１】
本発明の適用のための多数の可能な実施形態又はさらに良好なものの中でも、カードを本状の方式で開いた際、紙物体が自動的且つ可逆的に上方に投影されることを保証するための「ポップアップ」カード、すなわち紙製品の分野で知られる処置によって構成された紙カードの実施形態も存在する。この場合、カードの内面が２次元媒体１０としての役割を果たし、したがってリング状画像１を担う。３次元媒体２０は、カードの開閉と同時に可逆的に上昇及び下降するように適合されたミラーリング又は反射外面２を有する一般的な紙円筒によって構成される。
【００４２】
この実施形態は、例えば、記憶することを望む航海又は場所を思い出させる素晴らしい物体によって構成され得る。
【００４３】
最後に、添付特許請求の範囲によって提供される保護範囲から逸脱することなく、当業者に明らかであるこれまで説明した本発明に対する修正形態、追加形態又は変形形態がなされ得ることは明白である。
【図１】
2020522915.tif 000003
【図２（ａ）】
2020522915.tif 000004
【図２（ｂ）】
2020522915.tif 000005
【図３−１】
2020522915.tif 000006
【図３−２】
2020522915.tif 000007
【図４ａ】
2020522915.tif 000008
【図４ｂ】
2020522915.tif 000009
【図４ｃ】
2020522915.tif 000010
【図４ｄ】
2020522915.tif 000011
【図４ｅ】
2020522915.tif 000012
【図４ｆ】
2020522915.tif 000013
【国際調査報告】
2020522915.tif 000014
2020522915.tif 000015
2020522915.tif 000016